【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
撮像された画像のホワイトバランス補正を行うホワイトバランス制御装置であって、
前記画像の全体に基づいて第１のホワイトバランス補正値を算出する第１の補正値算出手段と、
前記画像から検出された顔領域に対して前記第１のホワイトバランス補正値を適用し、肌色評価値を取得する取得手段と、
前記肌色評価値が予め定めた肌色補正対象領域に含まれる場合、前記肌色評価値と予め定めた肌色目標値とのズレを補正する第２のホワイトバランス補正値を算出する第２の補正値算出手段と、
前記肌色評価値が前記予め定めた肌色補正対象領域に含まれる場合、前記第１のホワイトバランス補正値と前記第２のホワイトバランス補正値との合計を最終的なホワイトバランス補正値として決定する決定手段と、
前記画像を、前記最終的なホワイトバランス補正値として決定したホワイトバランス補正値を用いて補正する補正手段とを有し、
前記第２の補正値算出手段は、前記画像から算出した第２のホワイトバランス補正値に対し、過去に算出した第２のホワイトバランス補正値を、前記顔領域の検出結果の遷移に応じた割合で反映させて、前記画像に対する前記第２のホワイトバランス補正値を算出することを特徴とするホワイトバランス制御装置。
【請求項２】
前記第２の補正値算出手段は、前記顔領域が検出される状態から検出されない状態に遷移した場合、前記割合を段階的に減少させることを特徴とする請求項１記載のホワイトバランス制御装置。
【請求項３】
前記第２の補正値算出手段は、前記顔領域が検出されない状態から検出される状態に遷移した場合は、前記顔領域が検出される状態が続いている場合よりも前記割合を小さくすることを特徴とする請求項１又は請求項２記載のホワイトバランス制御装置。
【請求項４】
前記第２の補正値算出手段は、前記顔領域が検出される状態が予め定めた期間続いている場合には、前記過去に算出した第２のホワイトバランス補正値を前記画像に対する前記第２のホワイトバランス補正値とすることを特徴とする請求項１乃至請求項３のいずれか１項に記載のホワイトバランス制御装置。
【請求項５】
前記決定手段は、前記肌色評価値が予め定めた肌色領域に含まれる場合、前記第１のホワイトバランス補正値を前記最終的なホワイトバランス補正値として決定することを特徴とする請求項１乃至請求項４のいずれか１項に記載のホワイトバランス制御装置。
【請求項６】
前記決定手段は、前記画像から顔領域が検出されない場合、前記第１のホワイトバランス補正値を前記最終的なホワイトバランス補正値として決定することを特徴とする請求項１乃至請求項５のいずれか１項に記載のホワイトバランス制御装置。
【請求項７】
表示用の画像を撮像するためのＥＶＦ駆動モードと、記録用の画像を撮像するための本露光駆動モードとを有する撮像素子を備え、前記画像を撮像する撮像手段と、
前記画像から前記顔領域を検出する顔検出手段と、
請求項１乃至請求項６のいずれか１項に記載のホワイトバランス制御装置とを有する撮像装置であって、
前記第２の補正値算出手段は、前記撮像素子が前記ＥＶＦ駆動モードから前記本露光駆動モードに切り替えられて撮像された画像に対する第２のホワイトバランス補正値を算出する際には、前記切り替え前に前記ＥＶＦ駆動モードで撮像された画像に対して算出した第２のホワイトバランス補正値を前記過去に算出した第２のホワイトバランス補正値として用いることを特徴とする撮像装置。
【請求項８】
前記第２の補正値算出手段は、前記ＥＶＦ駆動モードで撮像された画像に対する前記顔検出手段による検出結果の遷移に基づいて、前記切り替え前に前記ＥＶＦ駆動モードで撮像された画像に対して算出した第２のホワイトバランス補正値の信頼度を算出し、前記切り替え前に前記ＥＶＦ駆動モードで撮像された画像に対して算出した第２のホワイトバランス補正値を前記信頼度に応じた割合で反映させて、前記撮像素子が前記ＥＶＦ駆動モードから前記本露光駆動モードに切り替えられて撮像された画像に対する前記第２のホワイトバランス補正値を算出することを特徴とする請求項７記載の撮像装置。
【請求項９】
撮像された画像のホワイトバランス補正を行うホワイトバランス制御方法であって、
第１の補正値算出手段が、前記画像の全体に基づいて第１のホワイトバランス補正値を算出する第１の補正値算出工程と、
取得手段が、前記画像から検出された顔領域に対して前記第１のホワイトバランス補正値を適用し、肌色評価値を取得する取得工程と、
前記肌色評価値が予め定めた肌色補正対象領域に含まれる場合、第２の補正値算出手段が、前記肌色評価値と予め定めた肌色目標値とのズレを補正する第２のホワイトバランス補正値を算出する第２の補正値算出工程と、
前記肌色評価値が前記予め定めた肌色補正対象領域に含まれる場合、決定手段が、前記第１のホワイトバランス補正値と前記第２のホワイトバランス補正値との合計を最終的なホワイトバランス補正値として決定する決定工程と、
補正手段が、前記画像を、前記決定工程において前記最終的なホワイトバランス補正値として決定されたホワイトバランス補正値を用いて補正する補正工程とを有し、
前記第２の補正値算出工程において、前記第２の補正値算出手段は、前記画像から算出した第２のホワイトバランス補正値に対し、過去に算出した第２のホワイトバランス補正値を前記顔領域の検出結果の遷移に応じた割合で反映させて、前記画像に対する前記第２のホワイトバランス補正値を算出することを特徴とするホワイトバランス制御方法。
【請求項１０】
コンピュータを請求項１乃至請求項６のいずれか１項に記載のホワイトバランス制御装置の各手段として動作させるためのプログラム。
【手続補正２】
【補正対象書類名】明細書
【補正対象項目名】００１７
【補正方法】変更
【補正の内容】
【００１７】
上述の目的は、撮像された画像のホワイトバランス補正を行うホワイトバランス制御装置であって、画像の全体に基づいて第１のホワイトバランス補正値を算出する第１の補正値算出手段と、画像から検出された顔領域に対して第１のホワイトバランス補正値を適用し、肌色評価値を取得する取得手段と、肌色評価値が予め定めた肌色補正対象領域に含まれる場合、肌色評価値と予め定めた肌色目標値とのズレを補正する第２のホワイトバランス補正値を算出する第２の補正値算出手段と、肌色評価値が予め定めた肌色補正対象領域に含まれる場合、第１のホワイトバランス補正値と第２のホワイトバランス補正値との合計を最終的なホワイトバランス補正値として決定する決定手段と、画像を、最終的なホワイトバランス補正値として決定したホワイトバランス補正値を用いて補正する補正手段とを有し、第２の補正値算出手段は、画像から算出した第２のホワイトバランス補正値に対し、過去に算出した第２のホワイトバランス補正値を、顔領域の検出結果の遷移に応じた割合で反映させて、画像に対する第２のホワイトバランス補正値を算出することを特徴とするホワイトバランス制御装置によって達成される。
【手続補正３】
【補正対象書類名】明細書
【補正対象項目名】００１９
【補正方法】変更
【補正の内容】
【００１９】
また、上述の目的は、撮像された画像のホワイトバランス補正を行うホワイトバランス制御方法であって、第１の補正値算出手段が、画像の全体に基づいて第１のホワイトバランス補正値を算出する第１の補正値算出工程と、取得手段が、画像から検出された顔領域に対して第１のホワイトバランス補正値を適用し、肌色評価値を取得する取得工程と、肌色評価値が予め定めた肌色補正対象領域に含まれる場合、第２の補正値算出手段が、肌色評価値と予め定めた肌色目標値とのズレを補正する第２のホワイトバランス補正値を算出する第２の補正値算出工程と、肌色評価値が予め定めた肌色補正対象領域に含まれる場合、決定手段が、第１のホワイトバランス補正値と第２のホワイトバランス補正値との合計を最終的なホワイトバランス補正値として決定する決定工程と、補正手段が、画像を、決定工程において最終的なホワイトバランス補正値として決定されたホワイトバランス補正値を用いて補正する補正工程とを有し、第２の補正値算出工程において、第２の補正値算出手段は、画像から算出した第２のホワイトバランス補正値に対し、過去に算出した第２のホワイトバランス補正値を顔領域の検出結果の遷移に応じた割合で反映させて、画像に対する第２のホワイトバランス補正値を算出することを特徴とするホワイトバランス制御方法によっても達成される。